(57)【要約】【課題】第１のゾーン用のマルチチャンネルパワーアンプの一部を第２のゾーン用に振り分ける必要がある場合でも、第１のゾーンで十分なマルチチャンネル音響再生効果を得る。【解決手段】第２のゾーンで音響再生を行わない第１のモードの場合、セレクタスイッチ９−１，９−２，１０−１，１０−２をＺ１側に切り替える。第２のゾーンで音響再生を行う第２のモードの場合、セレクタスイッチ９−１，９−２，１０−１，１０−２をＺ２側に切り替える。また、第２のモードの場合、ＤＳＰ４ａは第１のゾーンの音場が所望の特性となるようにメイン信号Ｌ，Ｒ、リア信号ＲＬ，ＲＲに対して音場補正を行う。【選択図】　　　　図１
2004112762.tif 000002
【特許請求の範囲】
【請求項１】
ｎ（ｎはｎ≧４の整数）チャンネルのパワーアンプから第１のゾーンにｎチャンネルの第１音声信号を配信するマルチチャンネル音響再生を行う第１のモードと、前記ｎチャンネルのうちｍ（ｍは１≦ｍ＜ｎの整数）チャンネルを除いた（ｎ−ｍ）チャンネルのパワーアンプから前記第１のゾーンに（ｎ−ｍ）チャンネルの第１音声信号を配信するマルチチャンネル音響再生を行うと同時に、このマルチチャンネル音響再生で使用しないｍチャンネルのパワーアンプから第２のゾーンにｍチャンネルの第２音声信号を配信するマルチゾーン音響再生を行う第２のモードとを有する音響再生装置であって、
前記ｎチャンネルの第１音声信号を前記ｎチャンネルのパワーアンプに出力するデジタルシグナルプロセッサ（ＤＳＰ）と、
前記第１のモードの場合は、前記ＤＳＰから出力されたｎチャンネルのうち前記ｍチャンネルのパワーアンプに対応するｍチャンネルの第１音声信号を前記ｍチャンネルのパワーアンプに出力し、前記第２のモードの場合は、前記ｍチャンネルの第２音声信号を前記ｍチャンネルのパワーアンプに出力する第１のセレクタスイッチと、
前記第１のモードの場合は、前記ｍチャンネルのパワーアンプの出力を前記第１のゾーン用のスピーカ端子に接続し、前記第２のモードの場合は、前記ｍチャンネルのパワーアンプの出力を前記第２のゾーン用のスピーカ端子に接続する第２のセレクタスイッチとを備え、
前記ＤＳＰは、前記第２のモードの場合、前記第１のゾーンの音場が所望の特性となるように前記（ｎ−ｍ）チャンネルの第１音声信号の少なくとも一部に対して音場補正を行うことを特徴とする音響再生装置。
【請求項２】
請求項１記載の音響再生装置において、
前記ｍチャンネルの第１音声信号の音量調整と前記ｍチャンネルの第２音声信号の音量調整でボリュームを共用することを特徴とする音響再生装置。
【請求項３】
請求項２記載の音響再生装置において、
前記第１のモードから前記第２のモードに切り替わる場合は、前記第１音声信号を音量調整していた前記ｍチャンネルのボリュームの値を第１のゾーン用のボリューム値として記憶して、予め記憶している第２のゾーン用のボリューム値を前記ｍチャンネルのボリュームに設定し、前記第２のモードから前記第１のモードに切り替わる場合は、前記第２音声信号を音量調整していた前記ｍチャンネルのボリュームの値を第２のゾーン用のボリューム値として記憶して、予め記憶している第１のゾーン用のボリューム値を前記ｍチャンネルのボリュームに設定する制御部を有することを特徴とする音響再生装置。
【請求項４】
請求項１記載の音響再生装置において、
前記第１のセレクタスイッチは、複数の前記第２のゾーンのうち１つのゾーンのみ選択が可能な前記第２のモードにおいて、この選択された第２のゾーンに対応する前記ｍチャンネルの第２音声信号を前記ｍチャンネルのパワーアンプに出力し、
前記第２のセレクタスイッチは、前記第２のモードにおいて、前記ｍチャンネルのパワーアンプの出力を前記選択された第２のゾーン用のスピーカ端子に接続することを特徴とする音響再生装置。
【請求項５】
請求項１記載の音響再生装置において、
複数の前記第２のゾーンのうち１つ以上のゾーンの選択が可能な前記第２のモードにおいて、前記ｎチャンネルのパワーアンプの中から、選択された第２のゾーンに対応する合計ｍチャンネルのパワーアンプをＤＳＰプログラムに応じて決定する制御部を備え、
前記第１のセレクタスイッチは、前記第２のモードにおいて、前記選択された第２のゾーンに対応する前記ｍチャンネルの第２音声信号を前記制御部で決定されたｍチャンネルのパワーアンプに出力し、
前記第２のセレクタスイッチは、前記第２のモードにおいて、前記制御部で決定されたｍチャンネルのパワーアンプの出力を前記選択された第２のゾーン用のスピーカ端子に接続することを特徴とする音響再生装置。
【発明の詳細な説明】
【０００１】
【発明の属する技術分野】
本発明は、マルチチャンネル音響再生機能を有する音響再生装置に係り、特に第１のゾーン用のマルチチャンネルパワーアンプの一部を第２のゾーン用に切り替えることができる音響再生装置に関するものである。
【０００２】
【従来の技術】
近年、マルチチャンネル音響再生システムとして、ドルビー（登録商標）デジタルやＤＴＳ（登録商標）（Ｄｉｇｉｔａｌ　Ｔｈｅａｔｅｒ　Ｓｙｓｔｅｍｓ　）、ＡＡＣ（Ａｄｖａｎｃｅｄ　Ａｕｄｉｏ　Ｃｏｄｉｎｇ　）などの音声圧縮技術を使ったデジタルサラウンドシステムが普及している。
【０００３】
一方、最近では、複数の部屋に音声信号を配信するマルチゾーン音響再生システムも普及し始めている。従来、マルチチャンネル音響再生機能を有する１台の音響再生装置を用いて２つのゾーンに対する音声信号の配信を独立にオン／オフ制御する場合には（以下、第１のゾーンと異なる第２のゾーンに音声信号を配信することをＺｏｎｅ２音響再生と呼ぶ）、第１のゾーン用のマルチチャンネルパワーアンプの一部を第２のゾーン用に予め確保しておく必要があった。
【０００４】
図１５は、マルチチャンネル音響再生機能とＺｏｎｅ２音響再生機能を実現する従来の音響再生装置の構成を示すブロック図である。この音響再生装置は、マルチチャンネル音響再生を主たる目的とするものである。２チャンネルのアナログ音声信号ＡＬＩＮ，ＡＲＩＮが入力端子１−１，１−２に入力されると、Ａ／Ｄ変換器２はアナログ音声信号ＡＬＩＮ，ＡＲＩＮをデジタル音声信号に変換し、変換後のデジタル音声信号はデジタルシグナルプロセッサ（以下、ＤＳＰとする）４に入力され、必要に応じて音場処理が施されるが、本発明が対象とするマルチチャンネル音声入力ではないため、説明を省略する。
【０００５】
一方、ドルビーデジタルやＤＴＳ又はＡＡＣで圧縮符号化されたデジタル音声信号ＤＩＮが入力端子１−３からセレクタ３を介して入力されると、ＤＳＰ４は、デコーダ４０１により圧縮符号化デジタル音声信号ＤＩＮを伸張復号化して、メイン信号Ｌ（左），Ｒ（右）、リア信号ＲＬ（後左），ＲＲ（後右）、センター信号Ｃ（中央）、リアセンター信号ＲＣ（後中央）、サブウーハ信号ＬＦＥ（低周波）の各音声信号を生成する。
【０００６】
ＤＳＰ４の音場処理部４０２から出力されたメイン信号Ｌ，Ｒ、リア信号ＲＬ，ＲＲは、Ｄ／Ａ変換器５によってアナログ信号に変換された後、それぞれボリューム６−１，６−２，６−３，６−４を通ってパワーアンプ７−１，７−２，７−３，７−４により増幅され、スピーカ端子８−１，８−２，８−３，８−４から出力される。また、音場処理部４０２から出力されたサブウーハ信号ＬＦＥは、Ｄ／Ａ変換器５でアナログ信号に変換された後、ボリューム６−７を通ってサブウーハ出力端子１１から出力される。
【０００７】
第２のゾーンで音響再生を行わない場合には、セレクタスイッチ９−１，９−２をＺ１側に切り替える。この場合、ＤＳＰ４から出力されたセンター信号Ｃ、リアセンター信号ＲＣは、Ｄ／Ａ変換器５でアナログ信号に変換された後、それぞれボリューム６−５，６−６、セレクタスイッチ９−１，９−２を通ってパワーアンプ７−５，７−６により増幅され、スピーカ端子８−５，８−６から出力される。
【０００８】
一方、第２のゾーンに２チャンネルの音声信号を配信するＺｏｎｅ２音響再生機能を使用する場合には、セレクタスイッチ９−１，９−２をＺ２側に切り替える。この場合、入力端子１−４，１−５に入力されたアナログ音声信号Ｚ２Ｌ，Ｚ２Ｒは、それぞれボリューム６−８，６−９、セレクタスイッチ９−１，９−２を通ってパワーアンプ７−５，７−６により増幅され、スピーカ端子８−５，８−６から出力される。
【０００９】
図１６は、マルチチャンネル音響再生を行う第１のゾーンＺｏｎｅ１と２チャンネル音響再生を行う第２のゾーンＺｏｎｅ２のスピーカ配置を示す平面図である。第１のゾーンＺｏｎｅ１でマルチチャンネル音響再生を行う場合、スピーカ端子８−１，８−２，８−３，８−４，８−５，８−６から出力されたメイン信号Ｌ，Ｒ、リア信号ＲＬ，ＲＲ、センター信号Ｃ、リアセンター信号ＲＣは、それぞれメインスピーカＳＰ−Ｌ，ＳＰ−Ｒ、リアスピーカＳＰ−ＲＬ，ＳＰ−ＲＲ、センタースピーカＳＰ−Ｃ、リアセンタースピーカＳＰ−ＲＣに供給される。また、サブウーハ出力端子１１から出力されたサブウーハ信号ＬＦＥは、アンプを内蔵したサブウーハＳＰ−ＳＷに供給される。図１６において、Ｕは試聴位置を示す。
【００１０】
これに対して、第２のゾーンＺｏｎｅ２に２チャンネルの音声信号を配信する場合には、スピーカ端子８−５，８−６から出力された音声信号Ｚ２Ｌ，Ｚ２ＲがそれぞれスピーカＳＰ−Ｚ２Ｌ，ＳＰ−Ｚ２Ｒに供給される。
【００１１】
図１５に示した音響再生装置では、アンプ７−５，７−６とスピーカ端子８−５，８−６を共用しているため、Ｚｏｎｅ２音響再生機能を使用する可能性がある場合には、第２のゾーンＺｏｎｅ２で実際に音響再生を行うか否かに関係なく、第２のゾーンＺｏｎｅ２のスピーカＳＰ−Ｚ２Ｌ，ＳＰ−Ｚ２Ｒとスピーカ端子８−５，８−６とを接続し、セレクタスイッチ９−１，９−２をＺ２側に切り替えておく必要がある。したがって、第１のゾーンＺｏｎｅ１にセンタースピーカＳＰ−Ｃ、リアセンタースピーカＳＰ−ＲＣが設置されていても、これらのスピーカにはセンター信号Ｃ、リアセンター信号ＲＣは供給されない。
【００１２】
【発明が解決しようとする課題】
以上のように、マルチチャンネル音響再生機能を有する従来の音響再生装置においてＺｏｎｅ２音響再生機能を実現しようとするとき、第１のゾーンＺｏｎｅ１に必要なチャンネル数と第２のゾーンＺｏｎｅ２に必要なチャンネル数を足した分だけパワーアンプを用意できない場合には、第１のゾーン用のマルチチャンネルパワーアンプの一部を第２のゾーン用に確保しておく必要があるので、第１のゾーンの出力チャンネル数が不足し、結果として第１のゾーンのマルチチャンネル音響再生効果が不十分になるという問題点があった。
【００１３】
本発明は、上記課題を解決するためになされたもので、マルチチャンネル音響再生機能を有する音響再生装置において、第１のゾーン用のマルチチャンネルパワーアンプの一部を第２のゾーン用に振り分ける必要がある場合でも、第１のゾーンで十分なマルチチャンネル音響再生効果を得ることを目的とする。
【００１４】
【課題を解決するための手段】
本発明は、ｎ（ｎはｎ≧４の整数）チャンネルのパワーアンプから第１のゾーンにｎチャンネルの第１音声信号を配信するマルチチャンネル音響再生を行う第１のモードと、前記ｎチャンネルのうちｍ（ｍは１≦ｍ＜ｎの整数）チャンネルを除いた（ｎ−ｍ）チャンネルのパワーアンプから前記第１のゾーンに（ｎ−ｍ）チャンネルの第１音声信号を配信するマルチチャンネル音響再生を行うと同時に、このマルチチャンネル音響再生で使用しないｍチャンネルのパワーアンプから第２のゾーンにｍチャンネルの第２音声信号を配信するマルチゾーン音響再生を行う第２のモードとを有する音響再生装置であって、前記ｎチャンネルの第１音声信号を前記ｎチャンネルのパワーアンプに出力するデジタルシグナルプロセッサ（ＤＳＰ）と、前記第１のモードの場合は、前記ＤＳＰから出力されたｎチャンネルのうち前記ｍチャンネルのパワーアンプに対応するｍチャンネルの第１音声信号を前記ｍチャンネルのパワーアンプに出力し、前記第２のモードの場合は、前記ｍチャンネルの第２音声信号を前記ｍチャンネルのパワーアンプに出力する第１のセレクタスイッチと、前記第１のモードの場合は、前記ｍチャンネルのパワーアンプの出力を前記第１のゾーン用のスピーカ端子に接続し、前記第２のモードの場合は、前記ｍチャンネルのパワーアンプの出力を前記第２のゾーン用のスピーカ端子に接続する第２のセレクタスイッチとを備え、前記ＤＳＰは、前記第２のモードの場合、前記第１のゾーンの音場が所望の特性となるように前記（ｎ−ｍ）チャンネルの第１音声信号の少なくとも一部に対して音場補正を行うものである。
【００１５】
また、本発明の音響再生装置の１構成例は、前記ｍチャンネルの第１音声信号の音量調整と前記ｍチャンネルの第２音声信号の音量調整でボリュームを共用するものである。
また、本発明の音響再生装置の１構成例は、前記第１のモードから前記第２のモードに切り替わる場合は、前記第１音声信号を音量調整していた前記ｍチャンネルのボリュームの値を第１のゾーン用のボリューム値として記憶して、予め記憶している第２のゾーン用のボリューム値を前記ｍチャンネルのボリュームに設定し、前記第２のモードから前記第１のモードに切り替わる場合は、前記第２音声信号を音量調整していた前記ｍチャンネルのボリュームの値を第２のゾーン用のボリューム値として記憶して、予め記憶している第１のゾーン用のボリューム値を前記ｍチャンネルのボリュームに設定する制御部を有するものである。
【００１６】
また、本発明の音響再生装置の１構成例において、前記第１のセレクタスイッチは、複数の前記第２のゾーンのうち１つのゾーンのみ選択が可能な前記第２のモードにおいて、この選択された第２のゾーンに対応する前記ｍチャンネルの第２音声信号を前記ｍチャンネルのパワーアンプに出力し、前記第２のセレクタスイッチは、前記第２のモードにおいて、前記ｍチャンネルのパワーアンプの出力を前記選択された第２のゾーン用のスピーカ端子に接続するものである。
また、本発明の音響再生装置の１構成例は、複数の前記第２のゾーンのうち１つ以上のゾーンの選択が可能な前記第２のモードにおいて、前記ｎチャンネルのパワーアンプの中から、選択された第２のゾーンに対応する合計ｍチャンネルのパワーアンプをＤＳＰプログラムに応じて決定する制御部を備え、前記第１のセレクタスイッチは、前記第２のモードにおいて、前記選択された第２のゾーンに対応する前記ｍチャンネルの第２音声信号を前記制御部で決定されたｍチャンネルのパワーアンプに出力し、前記第２のセレクタスイッチは、前記第２のモードにおいて、前記制御部で決定されたｍチャンネルのパワーアンプの出力を前記選択された第２のゾーン用のスピーカ端子に接続するものである。
【００１７】
【発明の実施の形態】
［第１の実施の形態］
以下、本発明の実施の形態について図面を参照して詳細に説明する。図１は本発明の第１の実施の形態となる音響再生装置の構成を示すブロック図である。本実施の形態の音響再生装置は、入力端子１（１−１，１−２，１−３，１−４，１−５）、Ａ／Ｄ変換器２、セレクタ３、ＤＳＰ４ａ、Ｄ／Ａ変換器５ａ、ボリューム６（６−１，６−２，６−３，６−４，６−５，６−６，６−７，６−８，６−９）、パワーアンプ７（７−１，７−２，７−３，７−４，７−５，７−６）、スピーカ端子８（８−１，８−２，８−３，８−４，８−５，８−６，８−７，８−８）、第１のセレクタスイッチ９（９−１，９−２）、第２のセレクタスイッチ１０（１０−１，１０−２）、サブウーハ出力端子１１および制御部１２を有する。
【００１８】
パワーアンプ７は、ｎ（ｎはｎ≧４の整数、本実施の形態ではｎ＝６）チャンネル分設けられ、そのうちｍ（ｍは１≦ｍ＜ｎの整数、本実施の形態ではｍ＝２）チャンネルがＺｏｎｅ２音響再生のために使用される。ドルビーデジタルやＤＴＳまたはＡＡＣで圧縮符号化されたデジタル音声信号ＤＩＮが入力端子１−３からセレクタ３を介して入力されると、ＤＳＰ４ａのデコーダ４０１ａは、圧縮符号化デジタル音声信号ＤＩＮを伸張復号化して、メイン信号Ｌ，Ｒ、リア信号ＲＬ，ＲＲ、センター信号Ｃ、リアセンター信号ＲＣ、サブウーハ信号ＬＦＥの各音声信号（第１音声信号）を生成する。
【００１９】
これらの音声信号は、各種の音場処理を行う音場処理部４０２ａを通ってＤ／Ａ変換器５ａに出力され、Ｄ／Ａ変換器５ａによってアナログ信号に変換される。Ｄ／Ａ変換器５ａから出力されたメイン信号Ｌ，Ｒ、リア信号ＲＬ，ＲＲは、それぞれボリューム６−１，６−２，６−３，６−４を通ってパワーアンプ７−１，７−２，７−３，７−４により増幅され、スピーカ端子８−１，８−２，８−３，８−４から出力される。また、Ｄ／Ａ変換器５ａから出力されたサブウーハ信号ＬＦＥは、ボリューム６−７を通ってサブウーハ出力端子１１から出力される。なお、本実施の形態では、２チャンネルのアナログ音声信号ＡＬＩＮ，ＡＲＩＮをマルチチャンネルソースではないとして、本発明の対象から外しているが、例えばドルビープロロジックのようにアナログ信号でもマルチチャンネルソースを実現するデコード技術が存在するため、このようなマルチチャンネルソースのアナログ音声信号の場合には、第１音声信号の生成元となるので、本発明の対象となり得る。
【００２０】
第１のゾーンＺｏｎｅ１と第２のゾーンＺｏｎｅ２のスピーカ配置は図１６に示したとおりである。スピーカ端子８−１，８−２，８−３，８−４，８−５，８−６は、第１のゾーンＺｏｎｅ１のメインスピーカＳＰ−Ｌ，ＳＰ−Ｒ、リアスピーカＳＰ−ＲＬ，ＳＰ−ＲＲ、センタースピーカＳＰ−Ｃ、リアセンタースピーカＳＰ−ＲＣと接続されている。また、サブウーハ出力端子１１は、アンプを内蔵したサブウーハＳＰ−ＳＷと接続されている。
【００２１】
図２はＺｏｎｅ２音響再生機能をオン／オフする場合の音響再生装置の動作を示すフローチャート図である。Ｚｏｎｅ２音響再生機能を使用しない場合、ユーザは、音響再生装置のＺｏｎｅ２音響再生スイッチ（不図示）をオフにする。Ｚｏｎｅ２音響再生スイッチがオフの場合（図２ステップＳ１においてＯＦＦ）、制御部１２は、ゾーン切替信号Ｚ２ＯＮを無効にする（ステップＳ２）。ゾーン切替信号Ｚ２ＯＮが無効の場合、セレクタスイッチ９−１，９−２，１０−１，１０−２は、Ｚ１側に切り替わる（ステップＳ３）。また、ゾーン切替信号Ｚ２ＯＮが無効の場合、ＤＳＰ４ａ内のスイッチ４０３ａ，４０４ａは、Ｚ１側に切り替わり、後述する音場補正をオフにする（ステップＳ４）。
【００２２】
これにより、Ｄ／Ａ変換器５ａから出力されたセンター信号Ｃ、リアセンター信号ＲＣは、それぞれボリューム６−５，６−６、セレクタスイッチ９−１，９−２を通ってパワーアンプ７−５，７−６により増幅され、セレクタスイッチ１０−１，１０−２を通ってスピーカ端子８−５，８−６から出力される。こうして、第１のゾーンＺｏｎｅ１で６．１チャンネル音響再生が行われる。
【００２３】
次に、第２のゾーンＺｏｎｅ２に２チャンネルの音声信号を配信するＺｏｎｅ２音響再生機能を使用する場合、ユーザは、音響再生装置のＺｏｎｅ２音響再生スイッチをオンにする。Ｚｏｎｅ２音響再生スイッチがオンになった場合（ステップＳ５においてＯＮ）、制御部１２は、ゾーン切替信号Ｚ２ＯＮを有効にする（ステップＳ６）。ゾーン切替信号Ｚ２ＯＮが有効の場合、セレクタスイッチ９−１，９−２，１０−１，１０−２は、Ｚ２側に切り替わる（ステップＳ７）。これにより、入力端子１−４，１−５に入力されたアナログ音声信号（第２音声信号）Ｚ２Ｌ，Ｚ２Ｒは、それぞれボリューム６−８，６−９、セレクタスイッチ９−１，９−２を通ってパワーアンプ７−５，７−６により増幅され、セレクタスイッチ１０−１，１０−２を通ってスピーカ端子８−７，８−８から出力される。スピーカ端子８−７，８−８は第２のゾーンＺｏｎｅ２のスピーカＳＰ−Ｚ２Ｌ，ＳＰ−Ｚ２Ｒと接続されているので、第２のゾーンＺｏｎｅ２で２チャンネルの音響再生が行われる。
【００２４】
一方、ＤＳＰ４ａ内のスイッチ４０３ａ，４０４ａは、ゾーン切替信号Ｚ２ＯＮが有効の場合、Ｚ２側に切り替わる。これにより、第１のゾーンＺｏｎｅ１のスピーカＳＰ−Ｃ，ＳＰ−ＲＣにセンター信号Ｃ、リアセンター信号ＲＣが供給されなくなったことによるマルチチャンネル音響再生効果の低下を補うべく、第１のゾーンＺｏｎｅ１に供給するメイン信号Ｌ，Ｒ、リア信号ＲＬ，ＲＲに対して音場補正が実行される（ステップＳ８）。
【００２５】
本実施の形態では、メインスピーカＳＰ−Ｌ，ＳＰ−ＲとリアスピーカＳＰ−ＲＬ，ＳＰ−ＲＲとサブウーハＳＰ−ＳＷで６．１チャンネルのマルチチャンネル音響再生を再現するために、センター信号Ｃおよびリアセンター信号ＲＣをメイン信号Ｌ，Ｒ、リア信号ＲＬ，ＲＲに振り分けて供給する。センター信号Ｃは、メイン信号Ｌ，Ｒの中間に定位すればよいので、メイン信号Ｌ，Ｒに振り分ければよく、リアセンター信号ＲＣは、リア信号ＲＬ，ＲＲの中間に定位すればよいので、リア信号ＲＬ，ＲＲに振り分ければよい。
【００２６】
ステップＳ８の音場補正を行う場合、デコーダ４０１ａから出力されたセンター信号Ｃは、スイッチ４０３ａを通って減衰器４０５ａで適切なレベルに調整された後、加算器４０６ａ，４０７ａによりメイン信号Ｌ，Ｒに加算される。同様に、デコーダ４０１ａから出力されたリアセンター信号ＲＣは、スイッチ４０４ａを通って減衰器４０８ａで適切なレベルに調整された後、加算器４０９ａ，４１０ａによりリア信号ＲＬ，ＲＲに加算される。音場補正されたメイン信号Ｌ，Ｒ、リア信号ＲＬ，ＲＲは、音場処理部４０２ａを通ってＤ／Ａ変換器５ａでアナログ信号に変換された後、それぞれボリューム６−１，６−２，６−３，６−４を通ってパワーアンプ７−１，７−２，７−３，７−４により増幅され、スピーカ端子８−１，８−２，８−３，８−４から出力される。また、音場処理部４０２ａから出力されたサブウーハ信号ＬＦＥは、Ｄ／Ａ変換器５ａでアナログ信号に変換された後、ボリューム６−７を通ってサブウーハ出力端子１１から出力される。
なお、音場補正が行われる際のメイン信号Ｌ，Ｒ、リア信号ＲＬ，ＲＲ、センター信号Ｃ、リアセンター信号ＲＣのそれぞれの利得を、第１のゾーンＺｏｎｅ１の音場が所望の特性となるように設定してもよい。
【００２７】
以上のように、本実施の形態では、図１５の音響再生装置に対して、セレクタスイッチ１０−１，１０−２とスピーカ端子８−７，８−８を追加し、第２のゾーンＺｏｎｅ２で実際に音響再生を行わない場合には、セレクタスイッチ１０−１，１０−２をＺ１側に切り替えることにより、第１のゾーンＺｏｎｅ１のスピーカＳＰ−Ｃ，ＳＰ−ＲＣにセンター信号Ｃ、リアセンター信号ＲＣを供給することができ、最大限のマルチチャンネル音響再生効果を得ることができる。
一方、第２のゾーンＺｏｎｅ２で実際に音響再生を行う場合には、ＤＳＰ４ａでメイン信号Ｌ，Ｒ、リア信号ＲＬ，ＲＲに対して音場補正を行うことにより、第１のゾーンＺｏｎｅ１のマルチチャンネル音響再生効果の低下を補うことができる。
なお、図２のステップＳ２〜Ｓ４，Ｓ６〜Ｓ８のように、セレクタスイッチ９−１，９−２，１０−１，１０−２やＤＳＰ４ａ内のスイッチ４０３ａ，４０４ａを切り替えている最中は、切り替えの時間差などで不用意な音が出ないように、例えば音場処理部４０２ａの全出力をオフにする等の処理を行っている。
【００２８】
［第２の実施の形態］
図３は本発明の第２の実施の形態となる音響再生装置の構成を示すブロック図であり、図１と同一の構成には同一の符号を付してある。第１の実施の形態では、第１のゾーンＺｏｎｅ１の音量調整用ボリューム６−１〜６−６とは別に、第２のゾーンＺｏｎｅ２の音量調整用ボリューム６−８，６−９を設けていたが、本実施の形態では、第１のゾーンＺｏｎｅ１（Ｃ，ＲＣ）と第２のゾーンＺｏｎｅ２（Ｚ２Ｌ，Ｚ２Ｒ）でボリューム６−５，６−６を共用する。制御部１２ａは、第１の実施の形態の制御部１２の機能の他に、Ｚｏｎｅ２音響再生スイッチのオン／オフ時にボリューム６−５，６−６の値を設定する機能を有する。
【００２９】
図４はＺｏｎｅ２音響再生機能をオン／オフする場合の音響再生装置の動作を示すフローチャート図である。音響再生装置のＺｏｎｅ２音響再生スイッチがオフ（図４ステップＳ１１においてＯＦＦ）の場合に実施されるステップＳ１２，Ｓ１３，Ｓ１４の処理は、それぞれ図２のステップＳ２，Ｓ３，Ｓ４と同じである。
【００３０】
制御部１２ａは、Ｚｏｎｅ２音響再生スイッチがオンからオフへ切り換えられた場合、ステップＳ１２でゾーン切替信号Ｚ２ＯＮを無効にすると共に、Ｚｏｎｅ２音響再生スイッチがオフになる直前のボリューム６−５，６−６の値を第２のゾーンＺｏｎｅ２用のボリューム値Ｖ２−５，Ｖ２−６として記憶し（ステップＳ１５）、予め記憶している第１のゾーンＺｏｎｅ１用のボリューム値Ｖ１−５，Ｖ１−６をそれぞれボリューム６−５，６−６に設定する（ステップＳ１６）。なお、全ボリューム値は、工場出荷時に所定値にプリセットされているが、ユーザの使用後はユーザが設定したボリューム値を制御部１２ａに保持しておくことも可能である。
【００３１】
音響再生装置のＺｏｎｅ２音響再生スイッチがオン（ステップＳ１７においてＯＮ）になった場合に実施されるステップＳ１８，Ｓ１９，Ｓ２０の処理は、図２のステップＳ６，Ｓ７，Ｓ８と同じである。制御部１２ａは、ステップＳ１８でゾーン切替信号Ｚ２ＯＮを有効にすると共に、Ｚｏｎｅ２音響再生スイッチがオンになる直前のボリューム６−５，６−６の値を第１のゾーンＺｏｎｅ１用のボリューム値Ｖ１−５，Ｖ１−６として記憶し（ステップＳ２１）、予め記憶している第２のゾーンＺｏｎｅ２用のボリューム値Ｖ２−５，Ｖ２−６をそれぞれボリューム６−５，６−６に設定する（ステップＳ２２）。
【００３２】
以上のように、本実施の形態では、第１のゾーンＺｏｎｅ１と第２のゾーンＺｏｎｅ２でボリューム６−５，６−６を共用することにより、第２のゾーンＺｏｎｅ２用のボリューム６−８，６−９が不要となるので、第１の実施の形態に比べて部品点数を削減することができる。
【００３３】
また、Ｚｏｎｅ２音響再生機能を使用しない場合には、第１のゾーンＺｏｎｅ１用のボリューム値Ｖ１−５，Ｖ１−６をボリューム６−５，６−６に設定し、Ｚｏｎｅ２音響再生機能を使用する場合には、第２のゾーンＺｏｎｅ２用のボリューム値Ｖ２−５，Ｖ２−６をボリューム６−５，６−６に設定するようにしたので、Ｚｏｎｅ２音響再生機能のオン／オフに応じてユーザがボリューム６−５，６−６を設定し直す必要がなく、ユーザの利便性を向上させることができる。
【００３４】
なお、図４のステップＳ１２〜Ｓ１６，Ｓ１８〜Ｓ２２のようにセレクタスイッチ９−１，９−２，１０−１，１０−２やＤＳＰ４ａ内のスイッチ４０３ａ，４０４ａを切り替えて、ボリューム６−５，６−６の値を設定している最中は、切り替えの時間差などで不用意な音が出ないように、例えば音場処理部４０２ａの全出力をオフにする等の処理を行っている。
【００３５】
［第３の実施の形態］
図５は、本発明の第３の実施の形態となる音響再生装置の構成を示すブロック図であり、図１と同一の構成には同一の符号を付してある。本実施の形態は、ｎ＝７チャンネルのパワーアンプを内蔵した音響再生装置に本発明を適用したものであり、ボリューム６−１０，６−１１とパワーアンプ７−７，７−８との間にセレクタスイッチ９−１，９−２を設け、パワーアンプ７−７，７−８とスピーカ端子８−９，８−１０との間にセレクタスイッチ１０−１，１０−２を設けている。
【００３６】
ＤＳＰ４ｃのデコーダ４０１ｃは、セレクタ３から出力されたデジタル音声信号からメイン信号Ｌ，Ｒ、リア信号ＲＬ，ＲＲ、センター信号Ｃ、リアセンター信号ＲＣ、サブウーハ信号ＬＦＥの各音声信号を生成して、音場処理部４０２ｃに出力する。
音場処理部４０２ｃは、メイン信号Ｌ，Ｒ、リア信号ＲＬ，ＲＲ、センター信号Ｃ、サブウーハ信号ＬＦＥ、リアサラウンド信号ＢＳＬ，ＢＳＲの各音声信号（第１音声信号）をＤ／Ａ変換器５ｃに出力する。このとき、音場処理部４０２ｃは、リアセンター信号ＲＣを基にリアサラウンド信号ＢＳＬ，ＢＳＲを生成する。
Ｄ／Ａ変換器５ｃは、ＤＳＰ４ｃから出力された各音声信号をアナログ信号に変換する。Ｄ／Ａ変換器５ｃから出力されたメイン信号Ｌ，Ｒ、リア信号ＲＬ，ＲＲの処理は第１の実施の形態と同じである。Ｄ／Ａ変換器５ｃから出力されたセンター信号Ｃは、ボリューム６−５を通ってパワーアンプ７−５により増幅され、スピーカ端子８−５から出力される。
【００３７】
図６に、図５の音響再生装置を用いる場合の第１のゾーンＺｏｎｅ１と第２のゾーンＺｏｎｅ２のスピーカ配置を示す。本実施の形態では、図１６で説明した第１のゾーンＺｏｎｅ１のリアセンタースピーカＳＰ−ＲＣの代わりにリアサラウンドスピーカＳＰ−ＢＳＬ，ＳＰ−ＢＳＲを用いる。スピーカ端子８−９，８−１０は、それぞれリアサラウンドスピーカＳＰ−ＢＳＬ，ＳＰ−ＢＳＲと接続されている。
【００３８】
Ｚｏｎｅ２音響再生機能をオン／オフする場合の動作は、第１の実施の形態において、センター信号Ｃをリアサラウンド信号ＢＳＬに、リアセンター信号ＲＣをリアサラウンド信号ＢＳＲに置き換えたものとなるので、図２を参照して本実施の形態の動作を説明する。
【００３９】
Ｚｏｎｅ２音響再生スイッチがオフの場合（ステップＳ１においてＯＦＦ）、ゾーン切替信号Ｚ２ＯＮが無効となり（ステップＳ２）、セレクタスイッチ９−１，９−２，１０−１，１０−２がＺ１側に切り替わり（ステップＳ３）、ＤＳＰ４ｃ内のスイッチ４０４ｃもＺ１側に切り替わる（ステップＳ４）。
ＤＳＰ４ｃから出力されたリアサラウンド信号ＢＳＬ，ＢＳＲは、Ｄ／Ａ変換器５ｃでアナログ信号に変換された後、それぞれボリューム６−１０，６−１１、セレクタスイッチ９−１，９−２を通ってパワーアンプ７−７，７−８により増幅され、セレクタスイッチ１０−１，１０−２を通ってスピーカ端子８−９，８−１０から出力される。こうして、第１のゾーンＺｏｎｅ１で７．１チャンネル音響再生が行われる。
【００４０】
一方、Ｚｏｎｅ２音響再生スイッチがオンの場合（ステップＳ５においてＯＮ）、ゾーン切替信号Ｚ２ＯＮが有効となり（ステップＳ６）、セレクタスイッチ９−１，９−２，１０−１，１０−２がＺ２側に切り替わる（ステップＳ７）。このとき、入力端子１−４，１−５に入力されたアナログ音声信号Ｚ２Ｌ，Ｚ２Ｒは、それぞれボリューム６−８，６−９、セレクタスイッチ９−１，９−２を通ってパワーアンプ７−７，７−８により増幅され、セレクタスイッチ１０−１，１０−２を通ってスピーカ端子８−７，８−８から出力される。
ＤＳＰ４ｃ内のスイッチ４０４ｃは、ゾーン切替信号Ｚ２ＯＮが有効の場合、Ｚ２側に切り替わる。これにより、第１のゾーンＺｏｎｅ１のリアサラウンドスピーカＳＰ−ＢＳＬ，ＳＰ−ＢＳＲにリアサラウンド信号ＢＳＬ，ＢＳＲが供給されなくなったことによるマルチチャンネル音響再生効果の低下を補うべく、第１のゾーンＺｏｎｅ１に供給するリア信号ＲＬ，ＲＲに対して音場補正が実行される（ステップＳ８）。
【００４１】
前述のように、リアサラウンド信号ＢＳＬ，ＢＳＲは、リアセンター信号ＲＣに基づいて生成される。したがって、デコーダ４０１ｃで生成されたリアセンター信号ＲＣをリア信号ＲＬ，ＲＲに振り分けることにより、メインスピーカＳＰ−Ｌ，ＳＰ−ＲとセンタースピーカＳＰ−ＣとリアスピーカＳＰ−ＲＬ，ＳＰ−ＲＲとサブウーハＳＰ−ＳＷで７．１チャンネルのマルチチャンネル音響再生を再現することができる。
【００４２】
ステップＳ８の音場補正を行う場合、デコーダ４０１ｃから出力されたリアセンター信号ＲＣは、スイッチ４０４ｃを通って減衰器４０８ｃで適切なレベルに調整された後、加算器４０９ｃ，４１０ｃによりリア信号ＲＬ，ＲＲに加算される。
【００４３】
以上のように音場補正されたリア信号ＲＬ，ＲＲと、メイン信号Ｌ，Ｒとセンター信号Ｃとサブウーハ信号ＬＦＥは、音場処理部４０２ｃを通ってＤ／Ａ変換器５ｃに出力される。Ｄ／Ａ変換器５ｃから出力されたメイン信号Ｌ，Ｒ、リア信号ＲＬ，ＲＲ、サブウーハ信号ＬＦＥの処理は、第１の実施の形態と同様である。また、Ｄ／Ａ変換器５ｃから出力されたセンター信号Ｃは、ボリューム６−５を通ってパワーアンプ７−５により増幅され、スピーカ端子８−５から出力される。
なお、音場補正が行われる際のリア信号ＲＬ，ＲＲ、リアセンター信号ＲＣのそれぞれの利得は、第１のゾーンＺｏｎｅ１の音場が所望の特性となるように設定される。
【００４４】
以上により、７チャンネルのパワーアンプを内蔵した音響再生装置において、第１の実施の形態と同様の効果を得ることができる。なお、図５において、セレクタスイッチ９−１，９−２をＤ／Ａ変換器５ｃとボリューム６−１０，６−１１の間に移し、制御部１２の代わりに制御部１２ａを使用して、第２の実施の形態と同様にＺｏｎｅ２音響再生スイッチのオン／オフ時にボリューム６−１０，６−１１の値を制御部１２ａで制御すれば、第１のゾーンＺｏｎｅ１と第２のゾーンＺｏｎｅ２でボリューム６−１０，６−１１を共用することができ、第２の実施の形態と同様の効果を得ることができる。
【００４５】
［第４の実施の形態］
図７は、本発明の第４の実施の形態となる音響再生装置の構成を示すブロック図であり、図１と同一の構成には同一の符号を付してある。本実施の形態は、ｎ＝８チャンネルのパワーアンプを内蔵した音響再生装置に本発明を適用したものであり、ボリューム６−１２，６−１３とパワーアンプ７−９，７−１０との間にセレクタスイッチ９−１，９−２を設け、パワーアンプ７−９，７−１０とスピーカ端子８−１１，８−１２との間にセレクタスイッチ１０−１，１０−２を設けている。
【００４６】
ＤＳＰ４ｄのデコーダ４０１ｄは、セレクタ３から出力されたデジタル音声信号からメイン信号Ｌ，Ｒ、リア信号ＲＬ，ＲＲ、センター信号Ｃ、リアセンター信号ＲＣ、サブウーハ信号ＬＦＥの各音声信号を生成して、音場処理部４０２ｄに出力する。
音場処理部４０２ｄは、メイン信号Ｌ，Ｒ、リア信号ＲＬ，ＲＲ、センター信号Ｃ、リアセンター信号ＲＣ、フロント信号ＦＬ（前左），ＦＲ（前右）の各アナログ音声信号（第１音声信号）をＤ／Ａ変換器５ｄに出力する。このとき、音場処理部４０２ｄは、メイン信号Ｌ，Ｒ、リア信号ＲＬ，ＲＲ、センター信号Ｃ、リアセンター信号ＲＣに基づいてフロント信号ＦＬ，ＦＲを生成する。
Ｄ／Ａ変換器５ｄは、ＤＳＰ４ｄから出力された各音声信号をアナログ信号に変換する。Ｄ／Ａ変換器５ｄから出力されたメイン信号Ｌ，Ｒ、リア信号ＲＬ，ＲＲの処理は第１の実施の形態と同じである。Ｄ／Ａ変換器５ｄから出力されたセンター信号Ｃ、リアセンター信号ＲＣは、それぞれボリューム６−５，６−６を通ってパワーアンプ７−５，７−６により増幅され、スピーカ端子８−５，８−６から出力される。
【００４７】
図８に、図７の音響再生装置を用いる場合の第１のゾーンＺｏｎｅ１と第２のゾーンＺｏｎｅ２のスピーカ配置を示す。本実施の形態では、図１６で説明した第１のゾーンＺｏｎｅ１にフロントスピーカＳＰ−ＦＬ，ＳＰ−ＦＲを追加している。スピーカ端子８−１１，８−１２は、それぞれフロントスピーカＳＰ−ＦＬ，ＳＰ−ＦＲと接続されている。
【００４８】
Ｚｏｎｅ２音響再生機能をオン／オフする場合の動作は、第１の実施の形態において、センター信号Ｃをフロント信号ＦＬに、リアセンター信号ＲＣをフロント信号ＦＲに置き換えたものとなるので、図２を参照して本実施の形態の動作を説明する。
【００４９】
Ｚｏｎｅ２音響再生スイッチがオフの場合（ステップＳ１においてＯＦＦ）、ゾーン切替信号Ｚ２ＯＮが無効となり（ステップＳ２）、セレクタスイッチ９−１，９−２，１０−１，１０−２がＺ１側に切り替わり（ステップＳ３）、ＤＳＰ４ｄ内のスイッチ４２１ｄ，４２２ｄもＺ１側に切り替わる（ステップＳ４）。
ＤＳＰ４ｄから出力されたフロント信号ＦＬ，ＦＲは、Ｄ／Ａ変換器５ｄでアナログ信号に変換された後、それぞれボリューム６−１２，６−１３、セレクタスイッチ９−１，９−２を通ってパワーアンプ７−９，７−１０により増幅され、セレクタスイッチ１０−１，１０−２を通ってスピーカ端子８−１１，８−１２から出力される。こうして、第１のゾーンＺｏｎｅ１で８．１チャンネル音響再生が行われる。
【００５０】
一方、Ｚｏｎｅ２音響再生スイッチがオンの場合（ステップＳ５においてＯＮ）、ゾーン切替信号Ｚ２ＯＮが有効となり（ステップＳ６）、セレクタスイッチ９−１，９−２，１０−１，１０−２がＺ２側に切り替わる（ステップＳ７）。このとき、入力端子１−４，１−５に入力されたアナログ音声信号Ｚ２Ｌ，Ｚ２Ｒは、それぞれボリューム６−８，６−９、セレクタスイッチ９−１，９−２を通ってパワーアンプ７−９，７−１０により増幅され、セレクタスイッチ１０−１，１０−２を通ってスピーカ端子８−７，８−８から出力される。
ＤＳＰ４ｄ内のスイッチ４２１ｄ，４２２ｄは、ゾーン切替信号Ｚ２ＯＮが有効の場合、Ｚ２側に切り替わる。これにより、第１のゾーンＺｏｎｅ１のフロントスピーカＳＰ−ＦＬ，ＳＰ−ＦＲにフロント信号ＦＬ，ＦＲが供給されなくなったことによるマルチチャンネル音響再生効果の低下を補うべく、第１のゾーンＺｏｎｅ１に供給するメイン信号Ｌ，Ｒに対して音場補正が実行される（ステップＳ８）。
【００５１】
本実施の形態では、メインスピーカＳＰ−Ｌ，ＳＰ−ＲとリアスピーカＳＰ−ＲＬ，ＳＰ−ＲＲとセンタースピーカＳＰ−ＣとリアセンタースピーカＳＰ−ＲＣとサブウーハＳＰ−ＳＷで８．１チャンネル音響再生を再現するために、フロント信号ＦＬ，ＦＲをそれぞれメイン信号Ｌ，Ｒに加算する。
すなわち、音場処理部４０２ｄから出力されたフロント信号ＦＬは、スイッチ４２１ｄを通って加算器４２４ｄによりメイン信号Ｌに加算される。同様に、音場処理部４０２ｄから出力されたフロント信号ＦＲは、スイッチ４２２ｄを通って加算器４２６ｄによりメイン信号Ｒに加算される。
【００５２】
以上のように音場補正されたメイン信号Ｌ，Ｒと、リア信号ＲＬ，ＲＲとセンター信号Ｃとリアセンター信号ＲＣとサブウーハ信号ＬＦＥは、Ｄ／Ａ変換器５ｄに出力される。Ｄ／Ａ変換器５ｄから出力されたメイン信号Ｌ，Ｒ、リア信号ＲＬ，ＲＲ、サブウーハ信号ＬＦＥの処理は、第１の実施の形態と同様である。また、Ｄ／Ａ変換器５ｄから出力されたセンター信号Ｃ、リアセンター信号ＲＣは、それぞれボリューム６−５，６−６を通ってパワーアンプ７−５，７−６により増幅され、スピーカ端子８−５，８−６から出力される。
なお、音場補正が行われる際のメイン信号Ｌ，Ｒ、フロント信号ＦＬ，ＦＲのそれぞれの利得は、第１のゾーンＺｏｎｅ１の音場が所望の特性となるように設定される。
【００５３】
以上により、８チャンネルのパワーアンプを内蔵した音響再生装置において、第１の実施の形態と同様の効果を得ることができる。なお、図７において、セレクタスイッチ９−１，９−２をＤ／Ａ変換器５ｄとボリューム６−１２，６−１３の間に移し、制御部１２の代わりに制御部１２ａを使用して、第２の実施の形態と同様にＺｏｎｅ２音響再生スイッチのオン／オフ時にボリューム６−１２，６−１３の値を制御部１２ａで制御すれば、第１のゾーンＺｏｎｅ１と第２のゾーンＺｏｎｅ２でボリューム６−１２，６−１３を共用することができ、第２の実施の形態と同様の効果を得ることができる。
【００５４】
［第５の実施の形態］
第１〜第４の実施の形態では、第２のゾーンが１つだけの場合を説明したが、第２のゾーンが複数あってもよい。図９は、本発明の第５の実施の形態となる音響再生装置の構成を示すブロック図であり、図１と同一の構成には同一の符号を付してある。本実施の形態は、ｎ＝６チャンネルのパワーアンプを内蔵した音響再生装置に本発明を適用したものであり、ボリューム６−５，６−６とパワーアンプ７−５，７−６との間に第１のセレクタスイッチ９−３，９−４を設け、パワーアンプ７−５，７−６とスピーカ端子８−５，８−６，８−７，８−８，８−１３，８−１４との間に第２のセレクタスイッチ１０−３，１０−４，１０−５，１０−６，１０−７，１０−８を設けている。
【００５５】
ＤＳＰ４ａのデコーダ４０１ａは、セレクタ３から出力されたデジタル音声信号からメイン信号Ｌ，Ｒ、リア信号ＲＬ，ＲＲ、センター信号Ｃ、リアセンター信号ＲＣ、サブウーハ信号ＬＦＥの各音声信号（第１音声信号）を生成する。
これらの音声信号は、音場処理部４０２ａを通ってＤ／Ａ変換器５ａに出力され、Ｄ／Ａ変換器５ａによってアナログ信号に変換される。Ｄ／Ａ変換器５ａから出力されたメイン信号Ｌ，Ｒ、リア信号ＲＬ，ＲＲ、サブウーハ信号ＬＦＥの処理は第１の実施の形態と同じである。
【００５６】
図１０に、図９の音響再生装置を用いる場合の第１のゾーンＺｏｎｅ１と第２のゾーンＺｏｎｅ２，Ｚｏｎｅ３のスピーカ配置を示す。本実施の形態では、第２のゾーンＺｏｎｅ３にスピーカＳＰ−Ｚ３Ｌ，ＳＰ−Ｚ３Ｒを配置している。スピーカ端子８−１３，８−１４は、それぞれスピーカＳＰ−Ｚ３Ｌ，ＳＰ−Ｚ３Ｒと接続されている。
【００５７】
本実施の形態では、第２のゾーンが２つ存在するため、図９の音響再生装置には、Ｚｏｎｅ２を選択するＺｏｎｅ２音響再生スイッチ（不図示）と、Ｚｏｎｅ３を選択するＺｏｎｅ３音響再生スイッチ（不図示）とが設けられている。ユーザは、第２のゾーンＺｏｎｅ２，Ｚｏｎｅ３で音響再生しない場合、Ｚｏｎｅ２音響再生スイッチおよびＺｏｎｅ３音響再生スイッチをオフにする。Ｚｏｎｅ２音響再生スイッチおよびＺｏｎｅ３音響再生スイッチが共にオフの場合、制御部１２ｂは、ゾーン切替信号Ｚ２ＯＮ，Ｚ３ＯＮを無効にする（図２ステップＳ１，Ｓ２）。ゾーン切替信号Ｚ２ＯＮ，Ｚ３ＯＮが無効の場合、セレクタスイッチ９−３，９−４はＺ１側に切り替わり、セレクタスイッチ１０−５，１０−６，１０−７，１０−８はオフとなり、セレクタスイッチ１０−３，１０−４はオンとなる（ステップＳ３）。また、ゾーン切替信号Ｚ２ＯＮ，Ｚ３ＯＮが無効の場合、ＤＳＰ４ａ内のスイッチ４０３ａ，４０４ａは、Ｚ１側に切り替わる（ステップＳ４）。
【００５８】
これにより、Ｄ／Ａ変換器５ａから出力されたセンター信号Ｃ、リアセンター信号ＲＣは、それぞれボリューム６−５，６−６、セレクタスイッチ９−３，９−４を通ってパワーアンプ７−５，７−６により増幅され、セレクタスイッチ１０−３，１０−４を通ってスピーカ端子８−５，８−６から出力される。こうして、第１のゾーンＺｏｎｅ１で６．１チャンネル音響再生が行われる。
【００５９】
次に、ユーザは、第２のゾーンＺｏｎｅ２で音響再生する場合、Ｚｏｎｅ２音響再生スイッチをオンにする。Ｚｏｎｅ２音響再生スイッチがオンになった場合、制御部１２ｂは、ゾーン切替信号Ｚ２ＯＮを有効にする（ステップＳ５，Ｓ６）。ゾーン切替信号Ｚ２ＯＮが有効の場合、セレクタスイッチ９−３，９−４はＺ２側に切り替わり、セレクタスイッチ１０−３，１０−４，１０−７，１０−８はオフとなり、セレクタスイッチ１０−５，１０−６はオンとなる（ステップＳ７）。
【００６０】
これにより、入力端子１−４，１−５に入力されたアナログ音声信号（第２音声信号）Ｚ２Ｌ，Ｚ２Ｒは、それぞれボリューム６−８，６−９、セレクタスイッチ９−３，９−４を通ってパワーアンプ７−５，７−６により増幅され、セレクタスイッチ１０−５，１０−６を通ってスピーカ端子８−７，８−８から出力される。スピーカ端子８−７，８−８は第２のゾーンＺｏｎｅ２のスピーカＳＰ−Ｚ２Ｌ，ＳＰ−Ｚ２Ｒと接続されているので、第２のゾーンＺｏｎｅ２で２チャンネルの音響再生が行われる。
【００６１】
一方、ＤＳＰ４ａ内のスイッチ４０３ａ，４０４ａは、ゾーン切替信号Ｚ２ＯＮが有効の場合、Ｚ２／Ｚ３側に切り替わる。これにより、第１のゾーンＺｏｎｅ１に供給するメイン信号Ｌ，Ｒ、リア信号ＲＬ，ＲＲに対して音場補正が実行される（ステップＳ８）。このときの音場補正は第１の実施の形態と同じなので、詳細な説明は省略する。
【００６２】
次に、ユーザは、第２のゾーンＺｏｎｅ３で音響再生する場合、Ｚｏｎｅ３音響再生スイッチをオンにする。Ｚｏｎｅ３音響再生スイッチがオンになった場合、制御部１２ｂは、ゾーン切替信号Ｚ３ＯＮを有効にする（ステップＳ５，Ｓ６）。ゾーン切替信号Ｚ３ＯＮが有効の場合、セレクタスイッチ９−３，９−４はＺ３側に切り替わり、セレクタスイッチ１０−３，１０−４，１０−５，１０−６はオフとなり、セレクタスイッチ１０−７，１０−８はオンとなる（ステップＳ７）。
【００６３】
これにより、入力端子１−６，１−７に入力されたアナログ音声信号（第２音声信号）Ｚ３Ｌ，Ｚ３Ｒは、それぞれボリューム６−１４，６−１５、セレクタスイッチ９−３，９−４を通ってパワーアンプ７−５，７−６により増幅され、セレクタスイッチ１０−７，１０−８を通ってスピーカ端子８−１３，８−１４から出力される。スピーカ端子８−１３，８−１４は第２のゾーンＺｏｎｅ３のスピーカＳＰ−Ｚ３Ｌ，ＳＰ−Ｚ３Ｒと接続されているので、第２のゾーンＺｏｎｅ３で２チャンネルの音響再生が行われる。
ＤＳＰ４ａ内のスイッチ４０３ａ，４０４ａは、ゾーン切替信号Ｚ３ＯＮが有効の場合、Ｚ２ＯＮが有効な場合と同様にＺ２／Ｚ３側に切り替わる。
【００６４】
以上のように、本実施の形態では、ｎ＝６チャンネルのパワーアンプを内蔵した音響再生装置から複数の第２のゾーンのうち１つのゾーンに音声信号を配信することができ、第２のゾーンＺｏｎｅ２またはＺｏｎｅ３で実際に音響再生を行う場合には、ＤＳＰ４ａでメイン信号Ｌ，Ｒ、リア信号ＲＬ，ＲＲに対して音場補正を行うことにより、第１のゾーンＺｏｎｅ１のマルチチャンネル音響再生効果の低下を補うことができる。
【００６５】
なお、本実施の形態では、複数の第２のゾーンのうち１つのゾーンのみに音声信号を配信するため、Ｚｏｎｅ２音響再生スイッチとＺｏｎｅ３音響再生スイッチが共にオンになった場合を考慮して、Ｚｏｎｅ２とＺｏｎｅ３の優先度を予め決めておく必要がある。制御部１２ｂは、Ｚｏｎｅ２音響再生スイッチとＺｏｎｅ３音響再生スイッチが共にオンになった場合、予め定められた優先度に応じて、ゾーン切替信号Ｚ２ＯＮまたはＺ３ＯＮのいずれかを有効とする。
【００６６】
［第６の実施の形態］
図１１は本発明の第６の実施の形態となる音響再生装置の構成を示すブロック図であり、図９と同一の構成には同一の符号を付してある。第５の実施の形態では、第１のゾーンＺｏｎｅ１の音量調整用ボリューム６−１〜６−７とは別に、第２のゾーンＺｏｎｅ２，Ｚｏｎｅ３の音量調整用ボリューム６−８，６−９，６−１４，６−１５を設けていたが、本実施の形態では、第１のゾーンＺｏｎｅ１と第２のゾーンＺｏｎｅ２，Ｚｏｎｅ３でボリューム６−５，６−６を共用する。制御部１２ｃは、第５の実施の形態の制御部１２ｂの機能の他に、ボリューム６−５，６−６の値を設定する機能を有する。
【００６７】
Ｚｏｎｅ２音響再生スイッチおよびＺｏｎｅ３音響再生スイッチをオン／オフする場合の処理は、第２の実施の形態と同様の手順で行われるので、図４を参照して本実施の形態の動作を説明する。図４のステップＳ１１，Ｓ１２，Ｓ１３，Ｓ１４の処理は、第５の実施の形態のステップＳ１，Ｓ２，Ｓ３，Ｓ４と同じである。
制御部１２ｃは、Ｚｏｎｅ３音響再生スイッチがオフの状態で、Ｚｏｎｅ２音響再生スイッチがオンからオフへ切り換えられた場合、ステップＳ１２でゾーン切替信号Ｚ２ＯＮを無効にすると共に、Ｚｏｎｅ２音響再生スイッチがオフになる直前のボリューム６−５，６−６の値を第２のゾーンＺｏｎｅ２用のボリューム値Ｖ２−５，Ｖ２−６として記憶し（ステップＳ１５）、予め記憶している第１のゾーンＺｏｎｅ１用のボリューム値Ｖ１−５，Ｖ１−６をそれぞれボリューム６−５，６−６に設定する（ステップＳ１６）。
【００６８】
また、制御部１２ｃは、Ｚｏｎｅ２音響再生スイッチがオフの状態で、Ｚｏｎｅ３音響再生スイッチがオンからオフへ切り換えられた場合、ステップＳ１２でゾーン切替信号Ｚ３ＯＮを無効にすると共に、Ｚｏｎｅ３音響再生スイッチがオフになる直前のボリューム６−５，６−６の値を第２のゾーンＺｏｎｅ３用のボリューム値Ｖ３−５，Ｖ３−６として記憶し（ステップＳ１５）、予め記憶している第１のゾーンＺｏｎｅ１用のボリューム値Ｖ１−５，Ｖ１−６をそれぞれボリューム６−５，６−６に設定する（ステップＳ１６）。
【００６９】
Ｚｏｎｅ２音響再生スイッチまたはＺｏｎｅ３音響再生スイッチがオン（ステップＳ１７においてＯＮ）になった場合に実施されるステップＳ１８，Ｓ１９，Ｓ２０の処理は、第５の実施の形態のステップＳ６，Ｓ７，Ｓ８と同じである。制御部１２ｃは、Ｚｏｎｅ３音響再生スイッチがオフの状態で、Ｚｏｎｅ２音響再生スイッチがオフからオンへ切り換えられた場合、ステップＳ１８でゾーン切替信号Ｚ２ＯＮを有効にすると共に、Ｚｏｎｅ２音響再生スイッチがオンになる直前のボリューム６−５，６−６の値を第１のゾーンＺｏｎｅ１用のボリューム値Ｖ１−５，Ｖ１−６として記憶し（ステップＳ２１）、予め記憶している第２のゾーンＺｏｎｅ２用のボリューム値Ｖ２−５，Ｖ２−６をそれぞれボリューム６−５，６−６に設定する（ステップＳ２２）。
【００７０】
また、制御部１２ｃは、Ｚｏｎｅ２音響再生スイッチがオフの状態で、Ｚｏｎｅ３音響再生スイッチがオフからオンへ切り換えられた場合、ステップＳ１８でゾーン切替信号Ｚ３ＯＮを有効にすると共に、Ｚｏｎｅ３音響再生スイッチがオンになる直前のボリューム６−５，６−６の値を第１のゾーンＺｏｎｅ１用のボリューム値Ｖ１−５，Ｖ１−６として記憶し（ステップＳ２１）、予め記憶している第２のゾーンＺｏｎｅ３用のボリューム値Ｖ３−５，Ｖ３−６をそれぞれボリューム６−５，６−６に設定する（ステップＳ２２）。
【００７１】
以上のように、本実施の形態では、第１のゾーンＺｏｎｅ１と第２のゾーンＺｏｎｅ２，Ｚｏｎｅ３でボリューム６−５，６−６を共用することにより、第２のゾーンＺｏｎｅ２，Ｚｏｎｅ３用のボリューム６−８，６−９，６−１４，６−１５が不要となるので、第５の実施の形態に比べて部品点数を削減することができる。
【００７２】
また、Ｚｏｎｅ２音響再生スイッチとＺｏｎｅ３音響再生スイッチが共にオフの場合には、第１のゾーンＺｏｎｅ１用のボリューム値Ｖ１−５，Ｖ１−６をボリューム６−５，６−６に設定し、Ｚｏｎｅ２音響再生スイッチまたはＺｏｎｅ３音響再生スイッチがオンの場合には、第２のゾーンＺｏｎｅ２，Ｚｏｎｅ３用のボリューム値Ｖ２−５，Ｖ２−６またはＶ３−５，Ｖ３−６をボリューム６−５，６−６に設定するようにしたので、Ｚｏｎｅ２音響再生スイッチおよびＺｏｎｅ３音響再生スイッチのオン／オフに応じてユーザがボリューム６−５，６−６を設定し直す必要がなく、ユーザの利便性を向上させることができる。
【００７３】
なお、図４のステップＳ１２〜Ｓ１６，Ｓ１８〜Ｓ２２のようにセレクタスイッチ９−３，９−４，１０−３〜１０−８やＤＳＰ４ａ内のスイッチ４０３ａ，４０４ａを切り替えて、ボリューム６−５，６−６の値を設定している最中は、切り替えの時間差などで不用意な音が出ないように、例えば音場処理部４０２ａの全出力をオフにする等の処理を行っている。
【００７４】
［第７の実施の形態］
第５の実施の形態および第６の実施の形態では、複数の第２のゾーンのうち１つのゾーンのみに音声信号を配信していたが、１つ以上の第２のゾーンに同時に音声信号を配信することも可能である。
図１２は本発明の第７の実施の形態となる音響再生装置の構成を示すブロック図であり、図９と同一の構成には同一の符号を付してある。本実施の形態では、図９の音響再生装置に対して、ボリューム６−３，６−４とパワーアンプ７−３，７−４との間に第１のセレクタスイッチ９−５，９−６を追加し、パワーアンプ７−３，７−４とスピーカ端子８−３，８−４との間に第２のセレクタスイッチ１０−９，１０−１０を追加し、パワーアンプ７−３とスピーカ端子８−７，８−１３との間に第２のセレクタスイッチ１０−１１，１０−１３を追加し、パワーアンプ７−４とスピーカ端子８−８，８−１４との間に第２のセレクタスイッチ１０−１２，１０−１４を追加している。
【００７５】
ＤＳＰ４ｅのデコーダ４０１ｅは、セレクタ３から出力されたデジタル音声信号からメイン信号Ｌ，Ｒ、リア信号ＲＬ，ＲＲ、センター信号Ｃ、リアセンター信号ＲＣ、サブウーハ信号ＬＦＥの各音声信号（第１音声信号）を生成する。
これらの音声信号は、各種の音場処理を行う音場処理部４０２ｅを通ってＤ／Ａ変換器５ｅに出力され、Ｄ／Ａ変換器５ｅによってアナログ信号に変換される。Ｄ／Ａ変換器５ｅから出力されたメイン信号Ｌ，Ｒ、サブウーハ信号ＬＦＥの処理は第１の実施の形態と同じである。
【００７６】
第１のゾーンＺｏｎｅ１と第２のゾーンＺｏｎｅ２，Ｚｏｎｅ３のスピーカ配置は図１０に示したとおりである。
Ｚｏｎｅ２音響再生スイッチおよびＺｏｎｅ３音響再生スイッチをオン／オフする場合の処理は、第１の実施の形態と同様の手順で行われるので、図２を参照して本実施の形態の動作を説明する。
【００７７】
Ｚｏｎｅ２音響再生スイッチおよびＺｏｎｅ３音響再生スイッチが共にオフの場合、制御部１２ｅは、ゾーン切替信号Ｚ２ＯＮ，Ｚ３ＯＮを無効にする（図２ステップＳ１，Ｓ２）。ゾーン切替信号Ｚ２ＯＮ，Ｚ３ＯＮが無効の場合、セレクタスイッチ９−３，９−４，９−５，９−６はＺ１側に切り替わり、セレクタスイッチ１０−５，１０−６，１０−７，１０−８，１０−１１，１０−１２，１０−１３，１０−１４はオフとなり、セレクタスイッチ１０−３，１０−４，１０−９，１０−１０はオンとなる（ステップＳ３）。また、ゾーン切替信号Ｚ２ＯＮ，Ｚ３ＯＮが無効の場合、ＤＳＰ４ｅ内のスイッチ４０３ｅ，４０４ｅ，４１１ｅ，４１２ｅは、Ｚ１側に切り替わる（ステップＳ４）。
【００７８】
これにより、Ｄ／Ａ変換器５ｅから出力されたリア信号ＲＬ，ＲＲ、センター信号Ｃ、リアセンター信号ＲＣは、それぞれボリューム６−３，６−４，６−５，６−６、セレクタスイッチ９−５，９−６，９−３，９−４を通ってパワーアンプ７−３，７−４，７−５，７−６により増幅され、セレクタスイッチ１０−９，１０−１０，１０−３，１０−４を通ってスピーカ端子８−３，８−４，８−５，８−６から出力される。こうして、第１のゾーンＺｏｎｅ１で６．１チャンネル音響再生が行われる。
【００７９】
次に、ｍ＝２、すなわちＺｏｎｅ２音響再生スイッチまたはＺｏｎｅ３音響再生スイッチのうちいずれか一方がオンになった場合の動作を説明する。Ｚｏｎｅ２音響再生スイッチがオンになった場合、制御部１２ｅは、ゾーン切替信号Ｚ２ＯＮを有効にする（ステップＳ５，Ｓ６）。ゾーン切替信号Ｚ２ＯＮが有効で、ゾーン切替信号Ｚ３ＯＮが無効の場合、セレクタスイッチ９−３，９−４はＺ２側に切り替わり、セレクタスイッチ９−５，９−６はＺ１側に切り替わり、セレクタスイッチ１０−３，１０−４，１０−７，１０−８，１０−１１，１０−１２，１０−１３，１０−１４はオフとなり、セレクタスイッチ１０−５，１０−６，１０−９，１０−１０はオンとなる（ステップＳ７）。入力端子１−４，１−５に入力されたアナログ音声信号（第２音声信号）Ｚ２Ｌ，Ｚ２Ｒは、第５の実施の形態と同様に処理され、第２のゾーンＺｏｎｅ２で２チャンネルの音響再生が行われる。
【００８０】
ゾーン切替信号Ｚ２ＯＮが有効で、ゾーン切替信号Ｚ３ＯＮが無効の場合、ＤＳＰ４ｅ内のスイッチ４０３ｅ，４０４ｅはＺ２／Ｚ３側に切り替わり、スイッチ４１１ｅ，４１２ｅはＺ１側に切り替わる。これにより、第１のゾーンＺｏｎｅ１に供給するメイン信号Ｌ，Ｒ、リア信号ＲＬ，ＲＲに対して音場補正が実行される（ステップＳ８）。この場合の音場補正は第１の実施の形態と同様である。すなわち、音場処理部４０２ｅから出力されたセンター信号Ｃは、スイッチ４０３ｅを通って減衰器４０５ｅで適切なレベルに調整された後、加算器４０６ｅ，４０７ｅによりメイン信号Ｌ，Ｒに加算される。同様に、音場処理部４０２ｅから出力されたリアセンター信号ＲＣは、スイッチ４０４ｅを通って減衰器４０８ｅで適切なレベルに調整された後、加算器４０９ｅ，４１０ｅによりリア信号ＲＬ，ＲＲに加算される。
【００８１】
音場補正されたメイン信号Ｌ，Ｒは、Ｄ／Ａ変換器５ｅでアナログ信号に変換された後、ボリューム６−１，６−２を通ってパワーアンプ７−１，７−２により増幅され、スピーカ端子８−１，８−２から出力される。また、音場補正されたリア信号ＲＬ，ＲＲは、Ｄ／Ａ変換器５ｅでアナログ信号に変換された後、ボリューム６−３，６−４を通ってパワーアンプ７−３，７−４により増幅され、スイッチ１０−９，１０−１０を通ってスピーカ端子８−３，８−４から出力される。
【００８２】
次に、Ｚｏｎｅ３音響再生スイッチがオンになった場合の動作を説明する。Ｚｏｎｅ３音響再生スイッチがオンになった場合、制御部１２ｅは、ゾーン切替信号Ｚ３ＯＮを有効にする（ステップＳ５，Ｓ６）。ゾーン切替信号Ｚ３ＯＮが有効で、ゾーン切替信号Ｚ２ＯＮが無効の場合、セレクタスイッチ９−３，９−４はＺ３側に切り替わり、セレクタスイッチ９−５，９−６はＺ１側に切り替わり、セレクタスイッチ１０−３，１０−４，１０−５，１０−６，１０−１１，１０−１２，１０−１３，１０−１４はオフとなり、セレクタスイッチ１０−７，１０−８，１０−９，１０−１０はオンとなる（ステップＳ７）。入力端子１−６，１−７に入力されたアナログ音声信号（第２音声信号）Ｚ３Ｌ，Ｚ３Ｒは、第５の実施の形態と同様に処理され、第２のゾーンＺｏｎｅ３で２チャンネルの音響再生が行われる。
【００８３】
ゾーン切替信号Ｚ３ＯＮが有効で、ゾーン切替信号Ｚ２ＯＮが無効の場合、ＤＳＰ４ｅ内のスイッチ４０３ｅ，４０４ｅはＺ２／Ｚ３側に切り替わり、スイッチ４１１ｅ，４１２ｅはＺ１側に切り替わる（ステップＳ８）。このときの音場補正は前述のとおりである。
【００８４】
次に、ｍ＝４、すなわちＺｏｎｅ２音響再生スイッチとＺｏｎｅ３音響再生スイッチが共にオンになった場合の動作を説明する。Ｚｏｎｅ２音響再生スイッチとＺｏｎｅ３音響再生スイッチが共にオンになった場合、制御部１２ｅは、ゾーン切替信号Ｚ２ＯＮ，Ｚ３ＯＮを有効にする（ステップＳ５，Ｓ６）。ゾーン切替信号Ｚ２ＯＮ，Ｚ３ＯＮが有効の場合、セレクタスイッチ９−３，９−４はＺ２側またはＺ３側に切り替わり、セレクタスイッチ９−５，９−６はＺ３側またはＺ２側（スイッチ９−３，９−４がＺ２側の場合はＺ３側、スイッチ９−３，９−４がＺ３側の場合はＺ２側）に切り替わり、セレクタスイッチ１０−３，１０−４，１０−９，１０−１０はオフとなる（ステップＳ７）。
【００８５】
セレクタスイッチ９−３，９−４がＺ２側、セレクタスイッチ９−５，９−６がＺ３側に切り替わる場合、セレクタスイッチ１０−７，１０−８，１０−１１，１０−１２はオフとなり、セレクタスイッチ１０−５，１０−６，１０−１３，１０−１４はオンとなる。
また、セレクタスイッチ９−３，９−４がＺ３側、セレクタスイッチ９−５，９−６がＺ２側に切り替わる場合、セレクタスイッチ１０−５，１０−６，１０−１３，１０−１４はオフとなり、セレクタスイッチ１０−７，１０−８，１０−１１，１０−１２はオンとなる。
【００８６】
なお、Ｚｏｎｅ２音響再生スイッチがオンになった後にＺｏｎｅ３音響再生スイッチがオンになった場合には、前述のとおりＺｏｎｅ２音響再生スイッチがオンになった時点でセレクタスイッチ９−３，９−４がＺ２側を既に選択しているので、セレクタスイッチ９−５，９−６はＺ３側を選択する。この場合、入力端子１−４，１−５に入力されたアナログ音声信号Ｚ２Ｌ，Ｚ２Ｒは、第５の実施の形態と同様に処理され、入力端子１−６，１−７に入力されたアナログ音声信号Ｚ３Ｌ，Ｚ３Ｒは、ボリューム６−１４，６−１５、セレクタスイッチ９−５，９−６を通ってパワーアンプ７−３，７−４により増幅され、セレクタスイッチ１０−１３，１０−１４を通ってスピーカ端子８−１３，８−１４から出力される。
【００８７】
また、Ｚｏｎｅ３音響再生スイッチがオンになった後にＺｏｎｅ２音響再生スイッチがオンになった場合には、前述のとおりＺｏｎｅ３音響再生スイッチがオンになった時点でセレクタスイッチ９−３，９−４がＺ３側を既に選択しているので、セレクタスイッチ９−５，９−６はＺ２側を選択する。この場合、入力端子１−６，１−７に入力されたアナログ音声信号Ｚ３Ｌ，Ｚ３Ｒは、第５の実施の形態と同様に処理され、入力端子１−４，１−５に入力されたアナログ音声信号Ｚ２Ｌ，Ｚ２Ｒは、ボリューム６−８，６−９、セレクタスイッチ９−５，９−６を通ってパワーアンプ７−３，７−４により増幅され、セレクタスイッチ１０−１１，１０−１２を通ってスピーカ端子８−７，８−８から出力される。
【００８８】
一方、Ｚｏｎｅ２音響再生スイッチとＺｏｎｅ３音響再生スイッチが共にオフの状態から、これらのスイッチが同時にオンになった場合には、予め定められた規則により制御部１２ｅがセレクタスイッチ９−３，９−４にＺ２側またはＺ３側を選択させる。
【００８９】
ゾーン切替信号Ｚ３ＯＮ，Ｚ２ＯＮが有効の場合、ＤＳＰ４ｅ内のスイッチ４０３ｅ，４０４ｅはＺ２／Ｚ３側に切り替わり、スイッチ４１１ｅ，４１２ｅはＺ２／Ｚ３側に切り替わる。これにより、第１のゾーンＺｏｎｅ１にリア信号ＲＬ，ＲＲ、センター信号Ｃ、リアセンター信号ＲＣが供給されなくなったことによるマルチチャンネル音響再生効果の低下を補うべく、第１のゾーンＺｏｎｅ１に供給するメイン信号Ｌ，Ｒに対して音場補正が実行される（ステップＳ８）。
【００９０】
メインスピーカＳＰ−Ｌ，ＳＰ−ＲとサブウーハＳＰ−ＳＷによって６．１チャンネルのマルチチャンネル音響再生を実現するには、リア信号ＲＬ，ＲＲ、センター信号Ｃおよびリアセンター信号ＲＣをメイン信号Ｌ，Ｒに振り分けて供給することが必要となる。音場処理部４０２ｅから出力されたセンター信号Ｃは、スイッチ４０３ｅを通って減衰器４０５ｅで適切なレベルに調整された後、加算器４０６ｅ，４０７ｅによりメイン信号Ｌ，Ｒに加算される。音場処理部４０２ｅから出力されたリアセンター信号ＲＣは、スイッチ４０４ｅを通って減衰器４０８ｅで適切なレベルに調整された後、加算器４０９ｅ，４１０ｅによりリア信号ＲＬ，ＲＲに加算される。ここまでの処理は第１の実施の形態と同様である。
【００９１】
次に、リアセンター信号ＲＣが加算されたリア信号ＲＬ，ＲＲは、スイッチ４１１ｅ，４１２ｅを通って加算器４０６ｅ，４０７ｅによりメイン信号Ｌ，Ｒに加算される。リアセンター信号ＲＣが加算されたリア信号ＲＬ，ＲＲをメインスピーカＳＰ−Ｌ，ＳＰ−Ｒから出力し、その音像をリアスピーカＳＰ−ＲＬ，ＳＰ−ＲＲの位置に定位させようとすると、音声信号の周波数特性や遅延時間を後方から聞こえてくる音の特性に変換する必要がある。そこで、リア信号ＲＬ，ＲＲは、例えば図示しないフィルタにより周波数特性や遅延時間が調整された後にメイン信号Ｌ，Ｒに加算される。こうして、いわゆるバーチャル音場処理により、メインスピーカＳＰ−Ｌ，ＳＰ−Ｒのみでリア音場を再現することができる。
【００９２】
以上のように、本実施の形態では、ｎ＝６チャンネルのパワーアンプを内蔵した音響再生装置から複数の第２のゾーンのうち１つ以上のゾーンに音声信号を配信することができ、第２のゾーンＺｏｎｅ２またはＺｏｎｅ３のいずれかで音響再生を行う場合には、第５の実施の形態と同様にＤＳＰ４ｅでメイン信号Ｌ，Ｒ、リア信号ＲＬ，ＲＲに対して音場補正を行い、第２のゾーンＺｏｎｅ２とＺｏｎｅ３で同時に音響再生を行う場合には、ＤＳＰ４ｅでメイン信号Ｌ，Ｒに対して音場補正を行うことにより、第１のゾーンＺｏｎｅ１のマルチチャンネル音響再生効果の低下を補うことができる。
【００９３】
［第８の実施の形態］
図１３は本発明の第８の実施の形態となる音響再生装置の構成を示すブロック図であり、図９と同一の構成には同一の符号を付してある。本実施の形態は、ｎ＝９チャンネルのパワーアンプを内蔵した音響再生装置に本発明を適用したものである。
ＤＳＰ４ｆのデコーダ４０１ｆは、セレクタ３から出力されたデジタル音声信号からメイン信号Ｌ，Ｒ、リア信号ＲＬ，ＲＲ、センター信号Ｃ、リアセンター信号ＲＣ、サブウーハ信号ＬＦＥの各音声信号を生成して、音場処理部４０２ｆに出力する。
【００９４】
音場処理部４０２ｆは、メイン信号Ｌ，Ｒ、リア信号ＲＬ，ＲＲ、センター信号Ｃ、サブウーハ信号ＬＦＥ、リアサラウンド信号ＢＳＬ，ＢＳＲ、フロント信号ＦＬ，ＦＲの各音声信号（第１音声信号）をＤ／Ａ変換器５ｆに出力する。このとき、音場処理部４０２ｆは、リアセンター信号ＲＣを基にリアサラウンド信号ＢＳＬ，ＢＳＲを生成し、メイン信号Ｌ，Ｒ、リア信号ＲＬ，ＲＲ、センター信号Ｃおよびリアセンター信号ＲＣに基づいてフロント信号ＦＬ，ＦＲを生成する。Ｄ／Ａ変換器５ｆは、ＤＳＰ４ｆから出力された各音声信号をアナログ信号に変換する。Ｄ／Ａ変換器５ｆから出力されたメイン信号Ｌ，Ｒ、リア信号ＲＬ，ＲＲ、センター信号Ｃ、サブウーハ信号ＬＦＥの処理は第１の実施の形態と同じである。
【００９５】
図１４に、図１３の音響再生装置を用いる場合の第１のゾーンＺｏｎｅ１と第２のゾーンＺｏｎｅ２，Ｚｏｎｅ３のスピーカ配置を示す。各スピーカとスピーカ端子との接続は、第１の実施の形態および第３〜第５の実施の形態で説明したとおりである。
Ｚｏｎｅ２音響再生スイッチおよびＺｏｎｅ３音響再生スイッチをオン／オフする場合の処理は、第１の実施の形態と同様の手順で行われるので、図２を参照して本実施の形態の動作を説明する。
【００９６】
Ｚｏｎｅ２音響再生スイッチおよびＺｏｎｅ３音響再生スイッチが共にオフの場合、制御部１２ｆは、ゾーン切替信号Ｚ２ＯＮ，Ｚ３ＯＮを無効にする（図２ステップＳ１，Ｓ２）。ゾーン切替信号Ｚ２ＯＮ，Ｚ３ＯＮが無効の場合のセレクタスイッチ９−３〜９−６およびセレクタスイッチ１０−３〜１０−１４の動作は第７の実施の形態で説明したとおりである（ステップＳ３）。
【００９７】
これにより、Ｄ／Ａ変換器５ｆから出力されたリアサラウンド信号ＢＳＬ，ＢＳＲ、フロント信号ＦＬ，ＦＲは、それぞれボリューム６−１０，６−１１，６−１２，６−１３、セレクタスイッチ９−５，９−６，９−３，９−４を通ってパワーアンプ７−７，７−８，７−９，７−１０により増幅され、セレクタスイッチ１０−９，１０−１０，１０−３，１０−４を通ってスピーカ端子８−９，８−１０，８−１１，８−１２から出力される。こうして、第１のゾーンＺｏｎｅ１で９．１チャンネル音響再生が行われる。
また、ゾーン切替信号Ｚ２ＯＮ，Ｚ３ＯＮが無効の場合、ＤＳＰ４ｆ内のスイッチ４３０ｆ，４３１ｆ，４３２ｆ，４３３ｆ，４３４ｆは、Ｚ１側に切り替わり、後述する音場補正をオフにする（ステップＳ４）。
【００９８】
次に、ｍ＝２、すなわちＺｏｎｅ２音響再生スイッチまたはＺｏｎｅ３音響再生スイッチのうちいずれか一方がオンになった場合の動作を説明する。Ｚｏｎｅ２音響再生スイッチがオンになった場合、制御部１２ｆは、ゾーン切替信号Ｚ２ＯＮを有効にする（ステップＳ５，Ｓ６）。ゾーン切替信号Ｚ２ＯＮが有効で、ゾーン切替信号Ｚ３ＯＮが無効の場合のセレクタスイッチ９−３〜９−６およびセレクタスイッチ１０−３〜１０−１４の動作は第７の実施の形態で説明したとおりである（ステップＳ７）。入力端子１−４，１−５に入力されたアナログ音声信号Ｚ２Ｌ，Ｚ２Ｒは、ボリューム６−８，６−９、セレクタスイッチ９−３，９−４を通ってパワーアンプ７−９，７−１０により増幅され、セレクタスイッチ１０−５，１０−６を通ってスピーカ端子８−７，８−８から出力され、第２のゾーンＺｏｎｅ２で２チャンネルの音響再生が行われる。
【００９９】
ゾーン切替信号Ｚ２ＯＮが有効で、ゾーン切替信号Ｚ３ＯＮが無効の場合、ＤＳＰ４ｆ内のスイッチ４３３ｆ，４３４ｆはＺ２／Ｚ３側に切り替わり、スイッチ４３１ｆ，４３２ｆはＺ１側に切り替わる。これにより、第１のゾーンＺｏｎｅ１に供給するメイン信号Ｌ，Ｒに対して音場補正が実行される（ステップＳ８）。この場合の音場補正は第４の実施の形態と同様である。すなわち、音場処理部４０２ｆから出力されたフロント信号ＦＬ，ＦＲは、スイッチ４３３ｆ，４３４ｆを通って加算器４３６ｆ，４３７ｆによりメイン信号Ｌ，Ｒに加算される。
【０１００】
次に、Ｚｏｎｅ３音響再生スイッチがオンになった場合の動作を説明する。Ｚｏｎｅ３音響再生スイッチがオンになった場合、制御部１２ｆは、ゾーン切替信号Ｚ３ＯＮを有効にする（ステップＳ５，Ｓ６）。ゾーン切替信号Ｚ３ＯＮが有効で、ゾーン切替信号Ｚ２ＯＮが無効の場合のセレクタスイッチ９−３〜９−６およびセレクタスイッチ１０−３〜１０−１４の動作は第７の実施の形態で説明したとおりである（ステップＳ７）。入力端子１−６，１−７に入力されたアナログ音声信号Ｚ３Ｌ，Ｚ３Ｒは、ボリューム６−１４，６−１５、セレクタスイッチ９−３，９−４を通ってパワーアンプ７−９，７−１０により増幅され、セレクタスイッチ１０−７，１０−８を通ってスピーカ端子８−１３，８−１４から出力され、第２のゾーンＺｏｎｅ３で２チャンネルの音響再生が行われる。
【０１０１】
ゾーン切替信号Ｚ３ＯＮが有効で、ゾーン切替信号Ｚ２ＯＮが無効の場合、ＤＳＰ４ｆ内のスイッチ４３３ｆ，４３４ｆはＺ２／Ｚ３側に切り替わり、スイッチ４３１ｆ，４３２ｆはＺ１側に切り替わる（ステップＳ８）。このときの音場補正は前述のとおりである。
【０１０２】
次に、ｍ＝４、すなわちＺｏｎｅ２音響再生スイッチとＺｏｎｅ３音響再生スイッチが共にオンになった場合の動作を説明する。Ｚｏｎｅ２音響再生スイッチとＺｏｎｅ３音響再生スイッチが共にオンになった場合、制御部１２ｅは、ゾーン切替信号Ｚ２ＯＮ，Ｚ３ＯＮを有効にする（ステップＳ５，Ｓ６）。ゾーン切替信号Ｚ２ＯＮ，Ｚ３ＯＮが有効の場合のセレクタスイッチ９−３〜９−６およびセレクタスイッチ１０−３〜１０−１４の動作は第７の実施の形態で説明したとおりである（ステップＳ７）。
【０１０３】
Ｚｏｎｅ２音響再生スイッチがオンになった後にＺｏｎｅ３音響再生スイッチがオンになった場合には、第７の実施の形態で説明したとおり、セレクタスイッチ９−３，９−４がＺ２側に切り替わり、セレクタスイッチ９−５，９−６がＺ３側に切り替わる。この場合、入力端子１−４，１−５に入力されたアナログ音声信号Ｚ２Ｌ，Ｚ２Ｒは、ゾーン切替信号Ｚ２ＯＮのみが有効の場合と同様に処理され、入力端子１−６，１−７に入力されたアナログ音声信号Ｚ３Ｌ，Ｚ３Ｒは、ボリューム６−１４，６−１５、セレクタスイッチ９−５，９−６を通ってパワーアンプ７−７，７−８により増幅され、セレクタスイッチ１０−１３，１０−１４を通ってスピーカ端子８−１３，８−１４から出力される。
【０１０４】
Ｚｏｎｅ３音響再生スイッチがオンになった後にＺｏｎｅ２音響再生スイッチがオンになった場合には、第７の実施の形態で説明したとおり、セレクタスイッチ９−３，９−４がＺ３側に切り替わり、セレクタスイッチ９−５，９−６がＺ２側に切り替わる。この場合、入力端子１−６，１−７に入力されたアナログ音声信号Ｚ３Ｌ，Ｚ３Ｒは、ゾーン切替信号Ｚ３ＯＮのみが有効の場合と同様に処理され、入力端子１−４，１−５に入力されたアナログ音声信号Ｚ２Ｌ，Ｚ２Ｒは、ボリューム６−８，６−９、セレクタスイッチ９−５，９−６を通ってパワーアンプ７−７，７−８により増幅され、セレクタスイッチ１０−１１，１０−１２を通ってスピーカ端子８−７，８−８から出力される。
【０１０５】
一方、Ｚｏｎｅ２音響再生スイッチとＺｏｎｅ３音響再生スイッチが共にオフの状態から、これらのスイッチが同時にオンになった場合には、予め定められた規則により制御部１２ｆがセレクタスイッチ９−３，９−４にＺ２側またはＺ３側を選択させる。
【０１０６】
ゾーン切替信号Ｚ３ＯＮ，Ｚ２ＯＮが有効の場合、ＤＳＰ４ｆ内のスイッチ４３１ｆ，４３２ｆ，４３３ｆ，４３４ｆは、Ｚ２／Ｚ３側に切り替わる。これにより、第１のゾーンＺｏｎｅ１にリアサラウンド信号ＢＳＬ，ＢＳＲ、フロント信号ＦＬ，ＦＲが供給されなくなったことによるマルチチャンネル音響再生効果の低下を補うべく、第１のゾーンＺｏｎｅ１に供給するメイン信号Ｌ，Ｒ、リア信号ＲＬ，ＲＲに対して音場補正が実行される（ステップＳ８）。
【０１０７】
音場処理部４０２ｆから出力されたリアサラウンド信号ＢＳＬ，ＢＳＲは、スイッチ４３１ｆ，４３２ｆを通って加算器４３８ｆ，４３９ｆによりリア信号ＲＬ，ＲＲに加算される。この音場補正の原理は第３の実施の形態と同様である。一方、音場処理部４０２ｆから出力されたフロント信号ＦＬ，ＦＲは、スイッチ４３３ｆ，４３４ｆを通って加算器４３６ｆ，４３７ｆによりメイン信号Ｌ，Ｒに加算される。この音場補正は第４の実施の形態と同様である。
【０１０８】
以上のように、本実施の形態では、ｎ＝９チャンネルのパワーアンプを内蔵した音響再生装置から複数の第２のゾーンのうち１つ以上のゾーンに音声信号を配信することができ、第２のゾーンＺｏｎｅ２またはＺｏｎｅ３のいずれかで音響再生を行う場合には、ＤＳＰ４ｆでメイン信号Ｌ，Ｒに対して音場補正を行い、第２のゾーンＺｏｎｅ２とＺｏｎｅ３で同時に音響再生を行う場合には、ＤＳＰ４ｆでメイン信号Ｌ，Ｒ、リア信号ＲＬ，ＲＲに対して音場補正を行うことにより、第１のゾーンＺｏｎｅ１のマルチチャンネル音響再生効果の低下を補うことができる。
【０１０９】
なお、本実施の形態では、第２のゾーンＺｏｎｅ２またはＺｏｎｅ３のうちいずれか一方に音声信号を配信する場合、フロント信号ＦＬ，ＦＲ用のパワーアンプ７−９，７−１０を第２のゾーンに割り当てているが、リアサラウンド信号ＢＳＬ，ＢＳＲ用のパワーアンプ７−７，７−８を第２のゾーンに割り当てるようにしてもよい。どちらを割り当てるかは、ＤＳＰプログラムに応じて制御部１２ｆが決定する。例えば映画鑑賞用のプログラムのように音像の移動感を重視するＤＳＰプログラムの場合、制御部１２ｆは、フロント信号ＦＬ，ＦＲ用のパワーアンプ７−９，７−１０を第２のゾーンに割り当てる。このときの動作は前述のとおりである。
【０１１０】
一方、例えば音楽鑑賞用のプログラムのように音場感を重視するＤＳＰプログラムの場合、制御部１２ｆは、リアサラウンド信号ＢＳＬ，ＢＳＲ用のパワーアンプ７−７，７−８を第２のゾーンに割り当てる。
Ｚｏｎｅ２音響再生スイッチのみがオンで、リアサラウンド信号ＢＳＬ，ＢＳＲ用のパワーアンプ７−７，７−８を第２のゾーンに割り当てる場合、セレクタスイッチ９−５，９−６はＺ２側に切り替わり、セレクタスイッチ９−３，９−４はＺ１側に切り替わり、セレクタスイッチ１０−３，１０−４，１０−１１，１０−１２はオンとなり、セレクタスイッチ１０−５，１０−６，１０−７，１０−８，１０−９，１０−１０，１０−１３，１０−１４はオフとなり、ＤＳＰ４ｆ内のスイッチ４３３ｆ，４３４ｆはＺ１側に切り替わり、スイッチ４３１ｆ，４３２ｆはＺ２／Ｚ３側に切り替わる。
【０１１１】
また、Ｚｏｎｅ３音響再生スイッチのみがオンで、リアサラウンド信号ＢＳＬ，ＢＳＲ用のパワーアンプ７−７，７−８を第２のゾーンに割り当てる場合、セレクタスイッチ９−５，９−６はＺ３側に切り替わり、セレクタスイッチ９−３，９−４はＺ１側に切り替わり、セレクタスイッチ１０−３，１０−４，１０−１３，１０−１４はオンとなり、セレクタスイッチ１０−５，１０−６，１０−７，１０−８，１０−９，１０−１０，１０−１１，１０−１２はオフとなり、ＤＳＰ４ｆ内のスイッチ４３３ｆ，４３４ｆはＺ１側に切り替わり、スイッチ４３１ｆ，４３２ｆはＺ２／Ｚ３側に切り替わる。
【０１１２】
つまり、Ｚｏｎｅ２音響再生スイッチまたはＺｏｎｅ３音響再生スイッチのうちいずれか一方がオンで、リアサラウンド信号ＢＳＬ，ＢＳＲ用のパワーアンプ７−７，７−８を第２のゾーンに割り当てる場合には、リア信号ＲＬ，ＲＲに対して音場補正が実行される。
【０１１３】
なお、第１〜第８の実施の形態では、第２のゾーンＺｏｎｅ２，Ｚｏｎｅ３に配信する信号として、アナログ音声信号Ｚ２Ｌ，Ｚ２Ｒ，Ｚ３Ｌ，Ｚ３Ｒを音響再生装置に入力しているが、これに限るものではなく、デジタル音声信号Ｚ２Ｌ，Ｚ２Ｒ，Ｚ３Ｌ，Ｚ３Ｒを入力して、このデジタル音声信号Ｚ２Ｌ，Ｚ２Ｒ，Ｚ３Ｌ，Ｚ３Ｒを音響再生装置内でアナログ音声信号に変換してもよい。
【０１１４】
また、各実施の形態においての第１のゾーンＺｏｎｅ１の音場補正は、開示したものに限定することなく種々の方法を適用することができる。また、第２のゾーンＺｏｎｅ２，Ｚｏｎｅ３にパワーアンプを割り当てたことにより、第１のゾーンＺｏｎｅ１のリア配置スピーカからリアサラウンド成分を出力できないような場合は、いわゆるバーチャル音場処理によって、フロントスピーカのみでリア音場を再現するように音場補正すればよい。
【０１１５】
【発明の効果】
本発明によれば、第２のゾーンで音響再生を行わない第１のモードの場合は、第１のセレクタスイッチでｍチャンネルの第１音声信号を選択してｍチャンネルのパワーアンプに入力し、第２のセレクタスイッチでｍチャンネルのパワーアンプの出力を第１のゾーン用のスピーカ端子に接続することにより、第１のゾーンで最大限のマルチチャンネル音響再生効果を得ることができる。また、第２のモードの場合は、第１のゾーンの音場が所望の特性となるようにＤＳＰで音場補正を行うことにより、ｍチャンネルの第１音声信号を第１のゾーンに供給しないことによるマルチチャンネル音響再生効果の低下を補うことができ、十分なマルチチャンネル音響再生効果を得ることができる。
【０１１６】
また、ｍチャンネルの第１音声信号の音量調整とｍチャンネルの第２音声信号の音量調整でボリュームを共用することにより、部品点数を削減することができる。
【０１１７】
また、第１のモードから第２のモードに切り替わる場合は、第１音声信号を音量調整していた前記ｍチャンネルのボリュームの値を第１のゾーン用のボリューム値として記憶して、予め記憶している第２のゾーン用のボリューム値を前記ｍチャンネルのボリュームに設定し、第２のモードから第１のモードに切り替わる場合は、第２音声信号を音量調整していた前記ｍチャンネルのボリュームの値を第２のゾーン用のボリューム値として記憶して、予め記憶している第１のゾーン用のボリューム値を前記ｍチャンネルのボリュームに設定することにより、モードの切り替えに応じてユーザがボリュームを設定し直す必要がなく、ユーザの利便性を向上させることができる。
【０１１８】
また、第１のセレクタスイッチが、選択された第２のゾーンに対応するｍチャンネルの第２音声信号をｍチャンネルのパワーアンプに出力し、第２のセレクタスイッチが、ｍチャンネルのパワーアンプの出力を選択された第２のゾーン用のスピーカ端子に接続することにより、複数の第２のゾーンのうちいずれか１つのゾーンに音声信号を配信することができる。
【０１１９】
また、第１のセレクタスイッチが、選択された第２のゾーンに対応するｍチャンネルの第２音声信号を制御部で決定されたｍチャンネルのパワーアンプに出力し、第２のセレクタスイッチが、制御部で決定されたｍチャンネルのパワーアンプの出力を選択された第２のゾーン用のスピーカ端子に接続することにより、複数の第２のゾーンのうち１つ以上のゾーンに音声信号を配信することができる。また、制御部を設けることにより、第２のゾーンに割り当てるｍチャンネルのパワーアンプ、すなわち第１のゾーンで音が出ないｍチャンネルのスピーカをＤＳＰプログラムに応じて適切に選択することができ、第１のゾーンがＤＳＰプログラムに適した音場となるようにすることができる。
【図面の簡単な説明】
【図１】本発明の第１の実施の形態となる音響再生装置の構成を示すブロック図である。
【図２】本発明の第１の実施の形態においてＺｏｎｅ２音響再生機能をオン／オフする場合の音響再生装置の動作を示すフローチャート図である。
【図３】本発明の第２の実施の形態となる音響再生装置の構成を示すブロック図である。
【図４】本発明の第２の実施の形態においてＺｏｎｅ２音響再生機能をオン／オフする場合の音響再生装置の動作を示すフローチャート図である。
【図５】本発明の第３の実施の形態となる音響再生装置の構成を示すブロック図である。
【図６】本発明の第３の実施の形態における第１のゾーンと第２のゾーンのスピーカ配置を示す平面図である。
【図７】本発明の第４の実施の形態となる音響再生装置の構成を示すブロック図である。
【図８】本発明の第４の実施の形態における第１のゾーンと第２のゾーンのスピーカ配置を示す平面図である。
【図９】本発明の第５の実施の形態となる音響再生装置の構成を示すブロック図である。
【図１０】本発明の第５の実施の形態における第１のゾーンと第２のゾーンのスピーカ配置を示す平面図である。
【図１１】本発明の第６の実施の形態となる音響再生装置の構成を示すブロック図である。
【図１２】本発明の第７の実施の形態となる音響再生装置の構成を示すブロック図である。
【図１３】本発明の第８の実施の形態となる音響再生装置の構成を示すブロック図である。
【図１４】本発明の第８の実施の形態における第１のゾーンと第２のゾーンのスピーカ配置を示す平面図である。
【図１５】従来の音響再生装置の構成を示すブロック図である。
【図１６】マルチチャンネル音響再生を行う第１のゾーンと２チャンネル音響再生を行う第２のゾーンのスピーカ配置を示す平面図である。
【符号の説明】
１…入力端子、２…Ａ／Ｄ変換器、３…セレクタ、４ａ、４ｂ、４ｃ、４ｄ、４ｅ、４ｆ…ＤＳＰ、５…Ｄ／Ａ変換器、６…ボリューム、７…パワーアンプ、８…スピーカ端子、９、１０…セレクタスイッチ、１１…サブウーハ出力端子、１２、１２ａ、１２ｂ、１２ｃ、１２ｅ、１２ｆ…制御部。
【図１】
2004112762.tif 000003
【図２】
2004112762.tif 000004
【図３】
2004112762.tif 000005
【図４】
2004112762.tif 000006
【図５】
2004112762.tif 000007
【図６】
2004112762.tif 000008
【図７】
2004112762.tif 000009
【図８】
2004112762.tif 000010
【図９】
2004112762.tif 000011
【図１０】
2004112762.tif 000012
【図１１】
2004112762.tif 000013
【図１２】
2004112762.tif 000014
【図１３】
2004112762.tif 000015
【図１４】
2004112762.tif 000016
【図１５】
2004112762.tif 000017
【図１６】
2004112762.tif 000018